(57)【要約】【課題】キャンピングカーなどに用いられ内部空間を十分に拡張するスライド式拡張ハウスを提供する。【解決手段】スライド式拡張ハウス１の全体が箱状の状態から、底板３、第１固定側壁７、及び第２固定側壁１１に対して、第１スライド側壁１０、及び第２スライド側壁１２が左右方向へスライドする。これにより、内部空間が拡張される。同時に、第１固定側壁及び第２固定側壁１１に対して重なって収納されていた拡張壁１５が、現われ、側壁の拡張を行なう。その後に、第１天板屋根１９と第２天板屋根２１の各先端を重なった状態で、上下機構２３により上昇させる。【選択図】図１
2012121335.tif 000002
【特許請求の範囲】
【請求項１】
側壁が水平方向へスライドすることで内部空間を拡張するスライド式拡張ハウスであって、ベースとなる底板と、この底板の前端辺に固定される第１固定側壁と、前記底板の後端辺に固定される第２固定側壁と、前記底板に対して左方向へスライドする第１スライド側壁と、前記底板に対して右方向へスライドする第２スライド側壁と、前記第１スライド側壁及び前記第２スライド側壁の前後端辺に直角に設けられることで、スライド前には前記第１固定側壁及び第２固定側壁に対して重なって収納されスライド後には拡張する働きをする拡張壁と、前記第１スライド側壁の上端辺に回動可能に設けられる第１天板屋根と、前記第２スライド側壁の上端辺に回動可能に設けられる第２天板屋根と、前記第１天板屋根と前記第２天板屋根の各先端を重なった状態で上下させる上下機構と、を有することを特長とするスライド式拡張ハウス。
【請求項２】
前記スライドを行なうスライド機構は、前記底板、前記第１固定側壁、及び前記第２固定側壁の内面に設けられたガイドレール、または／及び、前記第１スライド側壁、前記第２スライド側壁、前記拡張壁に設けられたガイドレールを有して構成され、前記上下機構は、前記第１天板屋根と前記第２天板屋根の各先端の重量を支えるバネ装置、油圧装置、または電動装置を有して構成されることを特長とする請求項１に記載のスライド式拡張ハウス。
【発明の詳細な説明】
【技術分野】
【０００１】
この発明は、キャンピングカーなどに用いられ内部空間を拡張して使用される簡易家屋の構造に関する。
【背景技術】
【０００２】
キャンピングカーなどに用いられる簡易家屋は、通常は固定式のものが多い。また、屋根の一部が上方へ動いて、寝台用の空間を形成するものもある。
さらに、下記特許文献１には、全体の内部空間を拡張して使用される簡易家屋が開示される。すなわち、一方の側壁が外側と内側の二重になっており、このうち外側の側壁が天井と共に、他方の側壁の上辺を回動軸として回動して持ち上がり、三角の屋根を形成するとともに、外側の側壁が外方へせり出して、内部空間を拡張する。
【０００３】
また、下記特許文献２には、キャンピングカーの簡易家屋全体の内部空間を拡張するために、天井が、左右に展開するものが開示される。
【先行技術文献】
【特許文献】
【０００４】
【特許文献１】特開２０１０−１０５４３２
【特許文献２】実開昭４９−７８９１３
【発明の概要】
【発明が解決しようとする課題】
【０００５】
しかしながら、上記特許文献１、２は、簡易家屋全体の内部空間を十分に拡張することができない。特に、上記特許文献１において、拡張のために側壁が外方へせり出す量は、拡張前の家屋の縦断面における対角線の寸法により、制限され、よって十分に拡張できない。
【０００６】
このような問題は、キャンピングカーに限らず、内部空間を拡張して使用される簡易家屋について、同じように存在する。
この発明は、以上の問題点を解決するために、内部空間を十分に拡張するスライド式拡張ハウスを提供することを目的とする。
【課題を解決するための手段】
【０００７】
以上の課題を解決するために、第一発明は、側壁が水平方向へスライドすることで内部空間を拡張するスライド式拡張ハウスであって、ベースとなる底板と、この底板の前端辺に固定される第１固定側壁と、前記底板の後端辺に固定される第２固定側壁と、前記底板に対して左方向へスライドする第１スライド側壁と、前記底板に対して右方向へスライドする第２スライド側壁と、前記第１スライド側壁及び前記第２スライド側壁の前後端辺に直角に設けられることで、スライド前には前記第１固定側壁及び第２固定側壁に対して重なって収納されスライド後には拡張する働きをする拡張壁と、前記第１スライド側壁の上端辺に回動可能に設けられる第１天板屋根と、前記第２スライド側壁の上端辺に回動可能に設けられる第２天板屋根と、前記第１天板屋根と前記第２天板屋根の各先端を重なった状態で上下させる上下機構と、を有することを特長とするスライド式拡張ハウスである。
第二発明は、さらに、前記スライドを行なうスライド機構は、前記底板、前記第１固定側壁、及び前記第２固定側壁の内面に設けられたガイドレール、または／及び、前記第１スライド側壁、前記第２スライド側壁、前記拡張壁に設けられたガイドレールを有して構成され、前記上下機構は、前記第１天板屋根と前記第２天板屋根の各先端の重量を支えるバネ装置、油圧装置、または電動装置を有して構成されることを特長とする請求項１に記載のスライド式拡張ハウスである。
【発明の効果】
【０００８】
第一、又は第二発明のスライド式拡張ハウスによれば、両スライド側壁が左右方向へスライドすることで内部空間を十分に拡張できる。
すなわち、スライド式拡張ハウスの全体が箱状の状態から、底板、第１固定側壁、及び第２固定側壁に対して、第１スライド側壁が左方向へスライドし、第２スライド側壁が右方向へスライドする。これにより、スライド式拡張ハウス全体の内部空間が拡張される。同時に、第１固定側壁及び第２固定側壁に対して重なって収納されていた拡張壁が、現われ、側壁の拡張を行なう。その後に、第１天板屋根と第２天板屋根の各先端が重なった状態で、上下機構により上昇させる。
【０００９】
そして、第１固定側壁及び第２固定側壁に対して重なる拡張壁の寸法は、十分に大きくできるので、内部空間は十分に拡張できる。
第二発明のスライド式拡張ハウスによれば、さらに、前記スライドを行なうスライド機構は、前記底板、前記第１固定側壁、及び前記第２固定側壁の内面に設けられたガイドレール、または／及び、前記第１スライド側壁、前記第２スライド側壁、前記拡張壁に設けられたガイドレールを有して構成されるので、簡易な構造により、小さな人力などで容易にスライドでき、よって拡張作業が容易になる。
【００１０】
また、上下機構は、前記第１天板屋根と前記第２天板屋根の各先端の重量を支えるバネ装置、油圧装置、または電動装置を有して構成されるので、この重量を人力だけで支える必要がなく、よって拡張作業が容易になる。
【図面の簡単な説明】
【００１１】
【図１】この発明のスライド式拡張ハウスを車両に搭載して使用する一実施形態を示すもので、（Ａ）は内部空間を縮小した状態の全体斜視図、（Ｂ）は内部空間を拡張した状態の全体斜視図、（Ｃ）は（Ｂ）の内部の要部を示す拡大図、（Ｄ）は（Ｃ）のスライドする右半分を示す拡大斜視図である。
【図２】（Ａ）は図１（Ａ）のスライド式拡張ハウスのみを示す全体斜視図、（Ｂ）は（Ａ）の分解斜視図である。
【図３】（Ａ）は図１（Ｂ）のスライド式拡張ハウスのみを示す全体斜視図、（Ｂ）は（Ａ）の分解斜視図である。
【図４】（Ａ）（Ｂ）（Ｃ）は、図１（Ａ）から（Ｂ）へ内部空間を拡張する際の手順を示すための正面図。
【図５】図４（Ｃ）の細部を示す図である。
【発明を実施するための形態】
【００１２】
この発明の実施形態に係るスライド式拡張ハウスを、図１から図５に示す。
［概略］
このスライド式拡張ハウス１は、両スライド側壁１０、１２が水平方向の左右へスライドすることで、内部空間を拡張する（図１（Ａ）（Ｂ）など参照）。図２、図３に示すように、ベースとなる底板３の前端辺５には第１固定側壁７が直角に固定される。底板３の後端辺９には第２固定側壁１１が直角に固定される。底板３に対して、第１スライド側壁１０が左方向へスライドする。底板３に対して、第２スライド側壁１２が右方向へスライドする。
【００１３】
第１スライド側壁１０及び第２スライド側壁１２の各々の前後で縦に位置する４本の端辺１３には、合計４つの拡張壁１５が直角に設けられる。これらの拡張壁１５は、スライド前の縮小状態では、第１固定側壁１７及び第２固定側壁１１に対して、内側に重なって収納される。スライド時には第１スライド側壁１０及び第２スライド側壁１２と一体にスライドする。このスライドにより、第１固定側壁７及び第２固定側壁１１を拡張する働きをする。
【００１４】
第１スライド側壁１０の上端辺１７に第１天板屋根１９が回動可能に設けられる。第２スライド側壁１２の上端辺１７に第２天板屋根２１が回動可能に設けられる。第１天板屋根１９と第２天板屋根２１の各先端は、重なった状態で上下する。この上下は、上下機構２３によって行なわれる。
【００１５】
［底板３］
底板３は、車両２５（図１（Ａ）（Ｂ））の荷台２６に図示しないボルトなどで固定される。
［第１、第２固定側壁７，１１］
図２（Ｂ）に示すように、第１、第２固定側壁７，１１は、ともに底板３に固定され、コの字形状を形成し、強度の高い部材で構成され、スライド式拡張ハウス１全体の強度を受け持つ。
［第１、第２スライド側壁］
第１スライド側壁１０や第２スライド側壁１２には、窓２７やドア２９が設けられる。
［拡張壁１５］
拡張壁１５は、各スライド側壁１０、１２にそれぞれ一対が設けられ、下端の間に拡張底３１が連続する。スライド側壁１０または１２、一対の拡張壁１５、及び拡張底３１により、箱形状の一部が形成され、よって軽い部材でも十分な強度を有する。拡張動作した拡張底３１の下面は、車両２５の荷台２６から外側にせり出すので、別体の脚３３（図１（Ｂ））により支えられる。
【００１６】
［スライド機構３５］
図２（Ｂ）に示すように、スライドを行なうスライド機構３５は、ガイドレール３７を有して構成される。すなわち、固定された部分である底板３、第１固定側壁７、及び第２固定側壁１１の内面に各々２条ずつガイドレール３７が設けられる。対応して、スライドする部分である第１スライド側壁１０の拡張底３１、第２スライド側壁１２の拡張底３１、及び４つの拡張壁１５に各々２条ずつガイドレール３７が設けられる。そして、前者の固定されたガイドレール３７が、後者のスライドするガイドレール３７を支える。これにより小さい力でスライドが行える。
【００１７】
［第１、第２天板屋根１９，２１］
第１スライド側壁１０の上端辺１７に、第１天板屋根１９が蝶番３９により回動可能に設けられる。第２スライド側壁１２の上端辺１７に、第２天板屋根２１が蝶番３９（図５）により回動可能に設けられる。第１、または第２天板屋根１９，２１には、明かり取りの窓４１（図３）が形成される。第１、または第２天板屋根１９，２１の各々の前後の端辺には、下方へ垂直延長壁４３が設けられ、上下機構２３（図１（Ｃ））により上昇する際には、固定側壁７、１１や拡張壁１５との間の隙間を覆う。第１、及び第２天板屋根１９，２１の下端辺４５には、雨樋４７（図５）が設けられる。
【００１８】
「上下機構２３」
図１（Ｃ）（Ｄ）に示すように、上下機構２３は、第１天板屋根１９と第２天板屋根２１の各先端の重量を支えるバネ装置４９を有して構成される。左の第１天板屋根１９の先端は、右の第２天板屋根２１の先端を覆って係止する延長部５１を有する。両先端の接触部には、各々、ローラ５３が設けられ、上下機構２３による上下動において、接触したままの両先端の移動を滑らかにしている。第１天板屋根及び第２天板屋根２１の下面には、バネ装置４９であるエアシリンダ５５が設けられる。すなわちエアシリンダ５５の一端が屋根１９、２１の下面にヒンジ結合され、他端がスライド側壁１０、１２にヒンジ結合される。第２天板屋根２１の下面には取付板５６を介してハンドルバー５７が設けられ、手で屋根を引き下げる。この引き下げた状態で屋根をロックする図示しないロック装置が設けられる。
【００１９】
屋根１９、２１を上昇させるには、ロック装置を外す。そうすると、バネ装置４９は屋根を常に上方向へ付勢しているので、全く手を触れなくても、あるいは軽く押し上げるだけでも、自動的に図１（Ｃ）の状態になる。屋根を下降させるには、ハンドルバー５７を手でつかみ屋根を引き下げ、ロック装置をロックすれば、図４（Ｂ）の状態になる。
【００２０】
「実施形態の作用・効果」
スライド式拡張ハウス１の全体が縮小した箱状の状態（図１（Ａ）、図２（Ａ）、図４（Ａ））から、拡張した状態（図１（Ｂ）、図３（Ａ）、図４（Ｃ）、図５）の状態にするには、以下のように拡張作業を行なう。
【００２１】
まず、底板３、第１固定側壁７、及び第２固定側壁１１に対して、人力により、第１スライド側壁１０が左方向へスライドし、第２スライド側壁１２が右方向へスライドする（図４（Ｂ））。これにより、スライド式拡張ハウス１全体の内部空間が拡張される。同時に、第１固定側壁及び第２固定側壁１１に対して重なって収納されていた拡張壁１５が、現われ、側壁の拡張を行なう。
【００２２】
その後に、第１天板屋根１９と第２天板屋根２１の各先端を、ロック装置を外すことで、上下機構２３により上昇させる（図４（Ｃ）、図１（Ｃ））。このとき屋根の重量を人力だけで支える必要がなく、よって拡張作業が容易になる。拡張状態では、左の第１天板屋根１９の先端が、右の第２天板屋の先端を覆って係止する。
【００２３】
逆の縮小作業は、拡張作業と逆の手順で行なうが、屋根を下降させるには、ハンドルバー５７を手でつかみ屋根を引き下げ、ロック装置をロックする。
そして、第１固定側壁及び第２固定側壁１１に対して重なる拡張壁１５の寸法は、設計時に、十分に大きくできるので、内部空間は十分に拡張できる。
さらに、スライド機構３５は、固定された部分である底板３、第１固定側壁７、及び第２固定側壁１１の内面に各々２条ずつガイドレール３７が設けられ、これに対応して、スライドする部分である第１スライド側壁１０の拡張底３１、第２スライド側壁１２の拡張底３１、及び４つの拡張壁１５に各々２条ずつガイドレール３７が設けられ、前者の固定されたガイドレール３７が、後者のスライドするガイドレール３７を支えることで、簡易な構造により、小さな人力で容易にスライドでき、よって拡張作業が容易になる。
【００２４】
「他の実施形態」
以上の実施形態のスライド式拡張ハウス１はキャンピングカーに用いられるものであったが、他の実施形態では、キャンピングカーに限らず、内部空間を拡張して使用される簡易家屋について、同じように用いられる。例えば、災害時の簡易住居、工事現場の事務所兼休息所、物置小屋、別荘小屋、簡易店舗、車載用移動店舗などである。
【００２５】
以上の実施形態では、スライド機構３５は、固定されたガイドレール３７が、スライドするガイドレール３７を支えるものであったが、他の実施形態では、ガイドレール３７の支え接する部分に、ローラ５３を追加して設けることで、より小さい力でスライドが可能になる。
あるいは、固定されたガイドレール３７、またはスライドするガイドレール３７のいずれか一方のみを設け、他方をローラーに置き換えてもよい。
以上の実施形態では、図２（Ｂ）に示すように、スライド機構３５のガイドレール３７は、各部分に各々２条ずつ設けるものであったが、他の実施形態では、３条、あるいは４条以上ずつ設けることもできる。
【００２６】
以上の実施形態では、上下機構２３は、バネ装置４９として空気バネであるエアシリンダ５５が設けられたが、他の実施形態では、コイルバネなどの他のバネを使用することができる。また、バネ装置４９ではなく、油圧装置、または電動装置を用いて、自動的に上下させることもできる。これにより、人力はほとんど無用になり、全くの自動にすることもできる。
【００２７】
以上の実施形態では、拡張壁１５は、第１固定側壁７及び第２固定側壁１１に対して、内側に重なって収納されるものであったが、他の実施形態では、外側に重なるものでもよい。
【符号の説明】
【００２８】
１…スライド式拡張ハウス、３…底板、５…前端辺、７…第１固定側壁、９…後端辺、１０・・第１スライド側壁、１１…第２固定側壁、１２・・第２スライド側壁、１３…４本端辺、１５…拡張壁、１７…上端辺、１９…第１天板屋根、２１…第２天板屋根、２３…上下機構、２５…車両、２７…窓、２９…ドア、３１…拡張底、３３…脚、３５…スライド機構、３７…ガイドレール、３９…蝶番、４１…明かり取りの窓、４３…垂直延長壁、４５…下端辺、４７…雨樋、４９…バネ装置、５１…延長部、５３…ローラ、５５…エアシリンダ、５７…ハンドルバー。
【図２】
2012121335.tif 000003
【図３】
2012121335.tif 000004
【図４】
2012121335.tif 000005
【図１】
2012121335.tif 000006
【図５】
2012121335.tif 000007